(57)【要約】  【課題】  不快感を生じることなく、若しくは着用者の足、若しくは脚の血液の循環を妨げない、着用者上でしっかりと着用されるソックスを提供する  【解決手段】  着用している時に、着用者の足を覆うフットカバーセクション、及び着用者の足首と脹脛の一部分を覆うチューブセクションを有するソックスであって、チューブセクションは着用者の脹脛近くに上部縁を有し、弾力性素材若しくは同様の素材のソックスサポートバンドは、ソックス着用時に着用者の足首近くに位置する。ソックスサポートバンドは、ソックスの上部縁から間隔をおいて配置され、そして着用者の足首に密着するよう位置し、そこでソックスは着用者の脹脛近くよりも、むしろ着用者の足首近くをサポートする。
2005516124.tif 000002
【特許請求の範囲】
【請求項１】
（１）着用時に踵後方区部から爪先区部にかけて足裏を覆う足裏部、
（２）着用時に足の爪先を覆う爪先部、
（３）着用時に足の甲を覆う甲部、
（４）着用時に上記甲部から脹脛に沿って上方に延びる主部からなり、
（Ａ）着用時に脹脛上に位置する上縁部と、
（Ｂ）着用時に足関節／踝およびアキレス腱部分を覆う足首部と、
（Ｃ）着用時に上記足首部と上縁部との間で脹脛を覆う脹脛部と、
（Ｄ）着用時に上記足関節／踝およびアキレス腱部に近い範囲だけに位置するように上記上縁部及び上記甲部から離して上記足首部に一体に設けた弾性バンドを含み、着用時に該弾性バンドで脹脛を締め付けるように上記弾性バンドの直径を脹脛近くの外径よりも小さくしてあり、且つ該弾性バンドは上記足首部の一部を成すように共に一体であり、更に、
（Ｅ）着用時に皮膚に接する内部表面、
（Ｆ）外部表面、を含むこと
からなるソックス。
【請求項２】
前記ソックスの前記内部表面に配置された吸湿ライナーを含む請求項１に記載のソックス。
【請求項３】
（ａ）着用時に足を包み込む足カバーセクション、
（ｂ）着用時に上記足カバーセクションから脹脛に沿って上方に延びるチューブセクションから成り、該チューブセクションが、着用時に脹脛上に位置する上縁部と、着用時に足首近くに位置する足カバーセクションとを有し、更に、
（Ｃ）着用時に上記足関節／踝およびアキレス腱部分に近い上方に傾斜した範囲だけを締め付けるように上記上縁部および上記足首カバーセクションから離して上記チューブセクションに一体に設けたソックスサポートバンド、
から成るソックス。
【請求項４】
上記ソックスサポートバンドは、上記チューブセクションの一部を成すように共に一体である請求項３記載のソックス。
【発明の詳細な説明】
【技術分野】
【０００１】
本発明は、人が着用する服飾、特にストッキングと、そのサポート機能に関連するものである。
【背景技術】
【０００２】
ソックスを履く際、多くの人が、ソックスの上部付近に有り、且つ着用者の脚のソックスを上げて保持する為に用いられる弾性バンドによって生じる不快感を経験する。いくつかのソックスは、このバンドは着用者の足首上に位置するが、このバンドを着用者の脹脛に位置するものもある。どちらの場合でも、弾性バンドがソックスの上部に位置するので、着用者が所望する位置にソックスを維持するにはかなり力が必要になる。強い弾性バンドは、不快感であり、更に着用者の足及び脚の血液の循環を妨げうる。  
【０００３】
それ故、多くの人が彼らのソックスを丸めて下ろしたり、若しくは、ただソックスの弾性バンドからの不快感を我慢するのである。  
【０００４】
それ故、着用者の適所にしっかりと着用され、さらに不快感を生じず、または着用者の足若しくは脚の血液の循環を妨げないソックスが必要とされる。
【０００５】
また更に、上部に位置する弾性バンドによって支持された多くのソックスは美感的に興味を惹かれるものではない。サポートバンドの位置制限により、興味を惹くようなソックスを作るのは難しい。  
【０００６】
それ故、様々なデザインに対応する一方、着用者上でしっかりと着用されるソックスが必要である。  
【０００７】
また、ソックスがその上部の弾性バンドで支持されている場合、弾性バンドは着用者の脹脛上に位置することになる。大部分のソックスは着用者の脹脛の下部に近い箇所に及んでいるので、表面が傾斜をなし、弾性バンドの締め付けに抵抗する。この表面は、着用者の足に対して下向きに傾斜する。この傾斜によりソックスが一方に片寄るので、ソックスがずり落ちる。一般的に弾性バンドをきつくすることで対応する。しかし、弾性バンドをきつくすることで、血液の循環を妨げ、および／又は着用者に圧迫の痕跡を残すことになる上記考察した問題を悪化させることになる。
【０００８】
それ故、ソックスのサポート機能をある意味損なう、傾斜、若しくは傾いた箇所において、着用者に手間を取らせることなく、しっかりと着用できるソックスが必要である。
【０００９】
いくつかのソックスは、より長いソックスを作ることでこの問題を克服した。それは、ソックスが着用者の脹脛の半ば以上に及ぶものである。これは１つの問題を解決しているかもしれないが、別の問題も生じる。なぜならば、より短いソックスに関して言えば、材料追加の為にソックスの製造により費用がかかり、そして、このように長いソックスは、特に暑い天候では好んで着用されない。
【００１０】
それ故、着用者の脹脛半ばに及ぶソックスは必要とされず、着用者上でしっかりと着用されるソックスが必要とされる。
【発明の開示】
【発明が解決しようとする課題】
【００１１】
不快感を生じることなく、若しくは着用者の足、若しくは脚の血液の循環を妨げない、着用者上でしっかりと着用されるソックスを提供することが本発明の主な目的である。
【００１２】
様々なデザインを選択可能で、更に、着用者上でしっかりと着用されるソックスを提供することが本発明の他の目的である。  
【００１３】
ソックスのサポート機能を取り扱いによっては損なう、傾斜した、若しくは傾いた箇所で、着用者に手間を取らせることなく、しっかりと着用できるソックスが必要である。
【００１４】
着用者の脹脛半ばに及ぶソックスではなく、着用者上でしっかりと着用されるソックスを提供することが本発明の他の目的である。
【課題を解決するための手段】
【００１５】
上述の目的は、ソックスの着用者の足の適所への着用時に、着用者の足首部近くに位置し、着用者のソックスを支持する弾力性ゴムを使用したソックスにより達成される。着用者の足首近くで、そしてソックスの上端から間隔をおいて弾性バンドを配置することにより、着用者の脹脛における弾性バンドの圧迫を解消し、そしてこの圧迫を分散すれば圧迫が楽になり、血液の循環を妨げない。また着用者の足首部分は、ある形態においてソックスがすれ落ちるような傾斜がないので、本発明に関する弾性バンドは、ソックスの上部に弾性バンドを使用しているソックスのように強い必要がない。これにより従来のソックスよりもより快適になり、またソックスを着用者の適所でしっかりと保持する。これはまた、脹脛の半ばに及ぶソックスよりも短くすることができ、また着用者の適所でソックスをしっかりと保持する。製造者は長いソックスを製造する必要なく、適所でしっかりと保持されるソックスを求める着用者を満足させる。  
【００１６】
ソックスの他の形状は、ソックスの上部縁近くに位置される弾力性素材の第２次バンドを含む。しかし足首近くに配置された弾力性素材のバンドがソックスの第１次サポートであるので、この弾力性素材の第２次バンドはゆるく、そして血液の循環を妨げない。従って弾力性素材の第２次バンドはゆるく、そして快適である。吸湿材がソックス内部に配置されており、そしてバンド若しくは弾性バンドは様々な色であってよく、ソックスの美的アピール（aesthetic appeal）を増す。  
【発明を実施するための最良の形態】
【００１７】
本発明の他の目的、特性及び利点は次の詳細な説明及び添付の図面の考察から明らかであろう。  
【００１８】
本発明のソックスにより、着用者は着用者の足の血液の循環に影響することなく、快適な、ぴったりと合うソックスを着用できる。ソックスの支持要素は、ソックスを支持するのに最も適した位置に配置される。  
【００１９】
初めに図１を参照すると、本発明のソックスが着用者の足に着用され、足裏部１２を有し、歩行及び起立時に着用者の体重を支える。足裏部１２は着用者の足の最後部位置１６において、踵部１４、踵部１４から前方向に広がる足裏アーチ１８、足裏アーチ１８から前方向に広がる中足骨部２０、中足骨部２０から前方向に広がる膨み２２、そして着用者の足の膨み２２から前方向に広がる横アーチ２４を含む。  
【００２０】
更に、着用者の足の一番前に位置され、横アーチ２４から前方向に広がる爪先部２６、着用者の爪先部２６から着用者の足の踵部１４に向かって後部方向に広がる甲部２８、着用者の足１０の甲部２８に近くに位置する着用者の足の足首接合／内側踝３０、着用者の足の後部域３４に位置し、そして足首接合／内側踝３０から着用者の足の足裏部に向かって下方向に広がる踵後部区分３２を含む。図１に見られるように、足首接合／内側踝３０は、足部分から上向きに傾斜する上表面３７を有する。  
【００２１】
着用者の脚４２の脹脛区分４０は、足首接合内側踝３０から上に向かって広がり、そして着用者の足のアキレス腱域４４は着用者の脚４２の脹脛区分４０と着用者の脚の踵部１４との間、及び着用者の足の足首接合内側踝３０の近くに位置する。  
【００２２】
踵後部区分３２はアキレス腱域４４から着用者の足の足裏部１２の踵部１４に向かって広がる。  
【００２３】
図２、図３を参照すると、本発明を実施する組み合わせは、着用者の足の踵後部区分３２から爪先部２６において、ソックスの着用者の足の適所への着用時に、着用者の足の足裏部１２を覆うソックス足裏部６２、ソックスの着用者の足の適所への着用時に、着用者の爪先部２６を覆うソックス爪先部６４、そしてソックスの着用者の足の適所への着用時に、着用者の甲部２８を覆うソックス甲部６６を更に含む。ソックス６０は、更にソックスの着用者の足の適所への着用時に、着用者の脚４２の脹脛区分４０に沿ってソックス６０のソックス甲部６６から上向きに広がる主部７０を含む。ソックスの主部７０は、ソックス６０の主部７０上に、ソックスの着用者の足の適所への着用時に、着用者の脹脛区分４０に位置する上部縁７２、ソックスの着用者の足の適所への着用時に、着用者の足首接合内側踝部３０とアキレス腱域４４を覆うソックス足首部７４、そしてソックスの着用者の足の適所への着用時に、ソックス６０のソックス足首部７４と上部縁７２の間の着用者の脹脛区分４０を覆うソックス脹脛部７６を含む。  
【００２４】
弾性バンド８０は、ソックス６０のソックス足首部７４に位置し、ソックス６０の主部７０の上部縁７２及びソックス甲部６６から間隔をおいて配置され、そしてソックス６０が着用者の足の適所に着用された時、足首接合／内側踝部３０及びアキレス腱４４に近い場所にのみ位置する。弾性バンド８０は不可欠で、ソックス６０の素材と上下続きであり、そして直径は着用者の脹脛に近い着用者の足の外側直径よりも小さいので、ソックスの着用者の足の適所への着用時に、弾性バンドは着用者の足首、特に傾斜面３１に沿って上向きにソックスを締め付ける。この締付によって着用者の脹脛の敏感な部分を圧迫することなく、着用者の適所でソックスを保持する。このように、上記論じた、弾性バンドが靴下の上部縁近くに位置するソックスに関するような不都合な影響もなくソックスを適所に保持できる。所望ならばリブ(ribbing)８２を含めてもよい。  
【００２５】
図１、図２を比較すると、バンド８０は、着用者の足上でソックスをずり落とすような方向に傾斜している脹脛区分４０に対して締め付けるのとは違い、ソックスを上に維持できる上向き方向に傾斜している足首部３０の傾斜面３１に対して上向きに締め付けているのは理解できるであろう。この形態において、本発明で実施しているソックスは実際、締め付けバンドをソックスの上部縁近くに配置し、そこでソックスは着用者の下向きに傾斜する脹脛を締め付けている従来のソックスよりも、着用者に対して軽い締め付けで、よりしっかりと適所に保持される。  
【００２６】
ソックス６０は、ソックスの着用者の足の適所への着用時に、着用者の皮膚に近い内側表面９０と、そして外側表面９２を更に含む。ソックスは通常ソックスに使用されているような綿素材、若しくはその様式（スタイル）に適した他の素材で形成されてもよく、そしてソックスの使用を促す。  
【００２７】
図４、図５は更にソックスの別の形状を示す。
ソックス６０’は、ソックス主部７０’の上部縁７２’の近くに位置しており、そして着用者の足首接合内側踝３０の近くに位置する弾性バンド８０’から間隔を置いて配置され、そして上部縁７２’から足首部７４’に向かって美的感覚（aesthetics）で決まるような短い間隔で下向きに延びている弾性バンド１００を有する。弾性バンド１００は第２次サポート源であり、従ってソックス６０’の第１次サポート源であるバンド８０のように強くある必要がない。弾性バンド１００は直径を有し、それはソックス６０’の上部縁７２’に近い着用者の脹脛の外部直径よりも小さい。  
【００２８】
図６のソックス６０”において本発明の更なるソックスの形状が示される。ソックス６０”はソックス６０”の内部表面９０’に位置する吸湿ライナー１１０を有する。ソックス６０”はまた、弾性バンド８０を含み、そしてもし所望ならば弾性バンド１００を含む。弾性バンドはソックスに合う如何なる色、形状であっても良く、そして所望ならば異なった多色であってもよい。
【００２９】
本発明の正確な形態は、図示及び記述される一方、記述及び示した特別な形状、若しくは要素（部品）の配列（組み合わせ）に限られるものではないことは理解できるであろう。
【図面の簡単な説明】
【００３０】
【図１】着用者の足の斜視図。
【図２】本発明における教示を具体化した斜視図。
【図３】図２に示すソックスの側面図。
【図４】本発明で示す別の形状のソックスの斜視図。
【図５】図４に示すソックスの側面図。
【図６】本発明で教示を具体化した別の形状のソックスの斜視図。
【符号の説明】
【００３１】
６０：ソックス
６２：ソックス足裏部
６４：ソックス爪先部
６６：ソックス甲部
７０：ソックスの主部
７４：ソックス
７６：ソックス脹脛部
８０：弾性バンド
【図１】
2005516124.tif 000003
【図２】
2005516124.tif 000004
【図３】
2005516124.tif 000005
【図４】
2005516124.tif 000006
【図５】
2005516124.tif 000007
【図６】
2005516124.tif 000008
【国際調査報告】
2005516124.tif 000009